(57)【要約】      （修正有）【課題】複数個のクラスタからなり、データ記録に使用のクラスタの順序が追従可能な記録媒体から、記録されているデータを、再生の速さが遅くならずにデータを記録した方向とは逆方向である遡りの方向で再生することが可能で、且つ、記録媒体、データ再生のための手段・装置が特別な構成が不要なデータ再生装置の提供を目的とする。【解決手段】メモリ手段７は、記録媒体１７からデータ記録の再のクラスタの使用順序の方向とは逆方向の順序を作り、この逆方向の順序でＤＳＰ５がデータを再生するように制御手段６が制御を行う。  【選択図】図１
2006338699.tif 000002
【特許請求の範囲】
【請求項１】
データを記録するエリアが複数個のクラスタに分割され、そのクラスタの大きさよりも記録すべきデータの方が大きい場合には２個以上のクラスタを関連付けて結合させることで得られる結合のクラスタにファイル単位でデータが記録される構成の記録媒体に、データをファイル単位で記録し、且つ、データを記録する際にはそのデータの記録に使用されるクラスタのアドレスの順序も記録する構成の記録媒体から、記録されたデータを再生するデータ再生手段と、
上記構成の記録媒体から、データの記録に使用されるクラスタ又は／及び結合のクラスタのアドレスをデータ記録の順序に読み取って記憶し、且つ、そのアドレスのデータ記録の順序をその逆の順序に並べ換え得るメモリ手段と、
上記構成の記録媒体に記録されているデータを末尾から頭部の方向に遡って再生する際に、前記メモリ手段の記憶内容に基づき、記録媒体にデータが記録された順序と逆の順序のアドレスで、記録媒体に記録されたデータを再生するように前記再生手段を制御し得る制御手段を備えて構成されるデータ再生装置。
【請求項２】
データ再生手段がデジタル信号プロセッサであって、そのデジタル信号プロセッサとメモリ手段が一体化し得る構成の請求項１に記載のデータ再生装置。
【発明の詳細な説明】
【技術分野】
【０００１】
この発明は、半導体メモリ、ディスク型メモリといった記録媒体からデータを読み出して再生を行うデータ再生装置に関する。
特に、データを記録するエリアが複数個のクラスタに分割され、そのクラスタの記録サイズよりも記録すべきデータの方が大きい場合には２個以上のクラスタを関連付けて結合させることで得られる結合のクラスタにファイル単位でデータが記録される構成の記録媒体に、データが記録されている場合において、斯かる構成の記録媒体から、データを記録した方向とは逆の方向でのデータの再生、いわゆる遡り再生を行う再生装置に関する。
【背景技術】
【０００２】
データの記録媒体への記録においては、記録時間の長時間化、再生内容の高品質化等に伴い、記録すべきデータの量が多大になり、記録媒体の容量が大型化されて来ている。
そこで、今日では、大量のデータのアクセスを簡便に行うために、データを記録するエリアが複数個のクラスタに分割され、記録すべきデータの容量がクラスタの容量より小さい場合には１個のクラスタに、大きい場合には２個以上のクラスタを関連付けて結合した結合のクラスタにファイル単位で記録（格納）する構成、つまり、ファイルシステムを用いた記録媒体が使用されている。
【０００３】
さて、記録すべきデータの量が多大であってデータのファイルのサイズが大きくなってファイルに対応するクラスタの数が膨大になり、再生手段がデータを順方向にしか次のクラスタを読み出しすることのできないFAT（file allocation table）ファイルシステムを用いた記録媒体にデータを記録した場合において、その記録したデータを遡りの方向で再生を行う場合がある。
【０００４】
ここで、従来のよく知られた構成のデータ再生装置を用いて、記録媒体からデータを遡りの方向で再生する場合を考えると、図３に示すフローチャートで示されるプロセスで再生が行われることになる。
つまり、データ再生装置のメイン電源スイッチをＯＮさせ、データの遡り方向再生の機能をスタートさせると、データ再生装置においてデータを再生する手段はトラックの開始データとなるクラスタのアドレスの読出しを開始する。
【０００５】
この読出しで得られた開始となるクラスタのアドレスを、メモリ手段に一時記録（バッファ）する。
続いて、メモリ手段に一時記録されたクラスタのアドレスに対して、遡り再生の順序に対応して、データ再生装置の制御手段又は記録媒体のＣＰＵが読出したいデータであるか否かの判別を行う。
【０００６】
ここで、メモリ手段に一時記録されたクラスタのアドレスが、読出したいデータに係るクラスタのアドレスであると判別されると、読出したデータを再生する。
更に、記録媒体からデータの遡り方向の再生の量が設定通りか否かを判別し、設定した量のデータが再生されるまで、開始データのクラスタのアドレスの読出しプロセスからデータの再生を繰り返す。
【０００７】
他方、データ再生装置の制御手段又は記録媒体のＣＰＵは、メモリ手段に一時記録されたクラスタのアドレスが読出したいデータでないと判別を行うと、連続して並んでいる次のクラスタのアドレスを読出し、そのクラスタについてのデータを取得することにより、メモリ手段に一時記録されるクラスタのアドレスが読出したいデータである判断されるまで、次のクラスタへの読出しが繰り返される。
【０００８】
クラスタのアドレスの読出しのプロセスが斯かる構成のデータ再生装置では、現時点で読出しているクラスタから読出したいクラスタを見付け出すまで、再生対象の記録媒体の各クラスタのアドレスを一つずつ検索することになる。
しかしながら、このような検索を行う構成では、検索に多くの時間を必要とすることから、データの再生が記録時と同じようなスピードて連続的に行われ難く、実質的にデータの再生が簡便に得られないという問題が生じる。
【０００９】
ここで、ファイルシステムを採用している記録媒体にデータを記録し、その記録したデータをその記録方向とは逆の方向で再生し（遡り再生）、しかも、斯かる問題の解決が可能である再生装置が、以下の文献によって知られている。
【００１０】
【特許文献１】特開２００１−３３８４８４号公報
【発明の開示】
【発明が解決しようとする課題】
【００１１】
特開２００１−３３８４８４号公報に記載のデータ再生装置は、記録媒体に記録されているデータを高速で逆方向に検索、つまり、データを記録した方向に対して逆の方向でデータを取扱うことを可能にするために、記録媒体であるハードディスクのＦＡＴ領域の記録のＦＡＴエントリに第１と第２の格納部を設け、それら第１の格納部に順方向のクラスタチェーンを、第２の格納部に逆方向のクラスタチェーンそれぞれを書き込む構成とし、順方向の検索時（再生時）には第１の格納部に書き込まれたＦＡＴエントリの番号を連続追従させ、逆方向の検索時（再生時）には第２の格納部に書き込まれたＦＡＴエントリの番号を連続追従させるという方法が採られている。
【００１２】
斯かる方法に従えば、正方向の再生と同じように読取るファイルの番号を順次連続的に即刻得ることができることから、データの記録方向に対して遡りの方向の検索（再生）を順方向の検索と同様な速さで行うことが可能である。
しかしながら、通常の記録媒体では唯一つの格納部を有するのみで、別言すると、第一の格納部と第二の格納部が同じになっているため、特開２００１−３３８４８４号公報で示されている記録媒体に対して、他の構成のデータ再生装置で正常にデータの再生が得られないという問題が生じる。
又、他の構成のデータ記録装置で記録した記録媒体に対しては、その記録媒体には逆方向のＦＡＴエントリの番号が記録されないから、当該発明の本来の効果を得ることができないという問題が生じる。
【００１３】
この発明は、上記の事情に鑑みて為されたものであり、記録媒体に記録されているデータを、データを記録した方向とは逆方向である遡りの方向で再生する際に、再生の速さが遅くならず確保でき、且つ、記録媒体、データ再生のための手段・装置が特別な構成を必要とせず、よって、汎用性が得られるデータ再生装置を提供するものである。
【課題を解決するための手段】
【００１４】
この発明は、記録媒体から、データの記録に使用されたクラスタ又は／及び結合のクラスタのアドレスの順序を読み取って記憶し、且つ、ここで得られたアドレスの順序と逆の順序に並べ換え得るメモリ手段を備えてなるデータ再生装置である。
【００１５】
その詳細な構成は、データを記録するエリアが複数個のクラスタに分割され、そのクラスタの大きさよりも記録すべきデータの方が大きい場合には２個以上のクラスタを関連付けて結合させることで得られる結合のクラスタにファイル単位でデータが記録される構成の記録媒体に、データをファイル単位で記録し、且つ、データを記録する際にはそのデータの記録に使用されるクラスタのアドレスの順序も記録する構成の記録媒体から、記録されたデータを再生するデータ再生手段と、上記構成の記録媒体から、データの記録に使用されるクラスタ又は／及び結合のクラスタのアドレスをデータ記録の順序に読み取って記憶し、且つ、そのアドレスのデータ記録の順序をその逆の順序に並べ換え得るメモリ手段と、上記構成の記録媒体に記録されているデータを末尾から頭部の方向に遡って再生する際に、前記メモリ手段の記憶内容に基づき、記録媒体にデータが記録された順序と逆の順序のアドレスで、記録媒体に記録されたデータを再生するように前記再生手段を制御し得る制御手段を備えて構成されるデータ再生装置である。
【００１６】
斯かる構成のデータ再生装置では、データを記録した方向と逆の方向で遡り再生を行う際に、メモリ手段からデータ記録の方向とは逆方向の順序のアドレスを得て、この逆方向の順序でデータ再生手段がデータを再生するように制御手段が制御を行う。
【００１７】
尚、この発明のデータ再生装置が使用対象とする記録媒体は、各クラスタは記録媒体のデータ記録可能なエリアに分散されており、斯かる構成によって、各クラスタを任意に使用可能となることによって、特定のクラスタの集中使用によってそのクラスタが破壊されるのを防いだり、データが消去された空のクラスタを他のデータ記録に再使用できるような構成になっている。
又、データを記録するエリアが複数個のクラスタに分割され、そのクラスタの大きさよりも記録すべきデータの方が大きい場合には２個以上のクラスタを関連付けて結合させることで得られる結合のクラスタにデータがファイル単位で記録される構成になっている。
【００１８】
従って、1個の記録媒体に複数個のファイルが記録されることになったり、データ記録に使用されていないクラスタがあったりと、特定のファイルに係るクラスタとデータ記録に使用されていないクラスタが混在している状態にあるため、それぞれのファイルは構成するクラスタはデータが記録された順序が判るように、連続する二つのクラスタで前に位置するクラスタのアドレスが判れば後に位置するクラスタのアドレスが判るように、アドレスのチェーンで連鎖される構成になっている。
この発明は、メモリ手段が、上記連鎖のアドレスのチェーンに対してそれとは逆の方向のアドレスの順序を得て、その得た逆の方向のアドレスの順序に従ってデータを再生する構成である。
【発明の効果】
【００１９】
この発明は、データの記録に使用されたクラスタのアドレスの順序に基づいて、それとは逆方向のアドレスの順序をメモリ手段が作り、この逆方向のアドレスの順序でデータを再生する構成としたことにより、再生すべきクラスタのアドレスを見付け出すための時間を短く抑えることができ、遡りの再生を高速で行うことが可能であり、しかも、記録媒体の構成やデータの再生を行う手段・装置が特別な構成を必要としないことから、汎用性が高いデータ再生装置である。
【発明を実施するための最良の形態】
【００２０】
この発明を、図面に示す最良の形態に基づき説明する。しかし、この形態によって、この発明が限定されるものではない。
データ再生装置１は、マイクロフォン２と、アンプ３と、Ａ／Ｄ変換器４と、デジタル信号プロセッサ５（以下、「ＤＳＰ５」と称する。）と、制御手段６と、メモリ手段７と、Ｄ／Ａ変換器８と、アンプ９と、スピーカ１０と、操作手段１１及び表示手段１２が備えられている。
【００２１】
マイクロフォン２は、記録すべき対象データである音声を入力し、アナログ信号に変換して出力するものである。
アンプ３は、マイクロフォン２の後段に接続され、マイクロフォン２からの音声データのアナログ信号を受取ると、そのボリュームを所望の大きさに加工するものである。
Ａ／Ｄ変換器４は、アンプ３の後段に接続され、所望の大きさに加工されたアナログ信号を入力すると、そのアナログ信号をデジタル信号に変換して出力するものである。
【００２２】
ＤＳＰ５は、制御手段６からの制御信号に基づいて、Ａ／Ｄ変換器４からのデジタル信号を受取った際に、データ記録手段として機能して、そのデジタル信号のデータ（音声データ）を記録媒体１７に記録するように機能するものである。
つまり、データ記録装置１は、マイクロフォン２が感知する音声を音声データとして記録するデータ記録手段が備えられている。
【００２３】
ＤＳＰ５は、上記のデータの記録手段と同様に、制御手段６からの制御信号に基づいてデータ再生手段として機能して、記録媒体１７に記録されている音声データのデジタル信号を再生してＤ／Ａ変換器８に送るように機能するものである。
つまり、データ記録装置１は、記録媒体１７に記録されている音声データを再生するデータ再生手段が備えられている。
【００２４】
尚、Ａ／Ｄ変換器４及びＤ／Ａ変換器８とＤＳＰ５の間にデジタルのデータ信号を送るためのバス１３が、ＤＳＰ５と制御手段６の間にデジタルのデータ信号を送るためのバス１６が、ＤＳＰ５とメモリ手段７の間にデジタルのデータ信号を送るためのバス１５が、ＤＳＰ５と記録媒体１７の間にはデジタルのデータ信号を送るためのバス１４が、それぞれ介在されている。
【００２５】
メモリ手段７は、記録媒体１７がデータ再生装置１に所定の状態で装着されてＤＳＰ５に接続されると、記録媒体１７から、データの記録に使用されたクラスタ（若しくは、結合のクラスタで、以下同様）のアドレスを読取って記憶し、且つ、そのアドレスの順序を記録媒体１７にデータが記録された順序と逆の順序に並べ換え得るものである。
【００２６】
つまり、具体的な作用として、メモリ手段７は、データ再生装置１が記録媒体１７のある特定のファイルについてノーマルの再生を行う場合で、再生順序でｎ番目のクラスタＳＣｎを再生している際に、仮に操作手段１１によって早戻しの操作が行われると、再生順序で（ｎ−１）番目のクラスタＳＣｎ−１を探しに行くことになる。
【００２７】
ここで、クラスタＳＣｎ−１はすぐに見付らないことに対し、メモリ手段７ではまず最初に、上記のある特定のファイルについてアドレスが既知である１番目のクラスタＳＣ１に到る。続いて、クラスタＳＣ１からの連続性が知られているクラスタＳＣ２に到ってそのクラスタ番号を調べ、その番号をメモリ手段７の記憶部（図示省略）に格納する。
続いて、クラスタＳＣ２に到ってから、クラスタＳＣ２からの連続性が知られているクラスタＳＣ３に到ってそのクラスタ番号ＣＮ３を調べ、その番号をメモリ手段７の上記記憶部に格納する。
【００２８】
同様なことを繰り返すことによって、ｎ番目のクラスタＳＣｎに到り、クラスタＳＣ１からの連続性が知られているＳＣｎまでの順序をメモリ手段７の上記記憶部に格納する。
或いは、記録媒体１７からクラスタＳＣ１からクラスタＳＣｎまでアドレスの連続的な順序を知ることができる場合には、その順序をメモリ手段7の上記記憶部が格納する。
以上の連続的なクラスタの追従又はクラスタＳＣ１からクラスタＳＣｎまでのアドレスの追従されているメモリの格納によって、メモリ手段７の記憶部には、クラスタＳＣ１からクラスタＳＣｎまでのクラスタ番号が順序付けられて格納されることになる。
【００２９】
従って、メモリ手段７は、この順序付けられて記憶部に格納されたクラスタ番号を逆の方向に追従することによって、遡り再生の順序を得ることが可能になっている。
つまり、ＤＳＰ５は、クラスタ番号がＣＮｎ−１のクラスタＳＣｎ−１を読出して再生する。次に、上記記憶部からクラスタ番号ＣＮｎ−２に基づき、クラスタＣＮｎ−２を読出して再生を行う。このクラスタの逆方向の連鎖を連続的に対応させて、データの再生を行うと、クラスタＣＳｎからクラスタＣＳ１に向かって、データの記録とは逆方向の遡り再生を得ることになる。
【００３０】
尚、使用者は所望により、操作手段１１を介して制御手段６を制御することによって、遡り再生の機能を停止させることで終了させることができる。
又、メモリ手段７を機能させない場合には、記録媒体１７に記録した方向と同じ方向の再生、つまり、順方向の再生を得ることができる。
加えて、メモリ手段７は、ＤＳＰ５及び制御手段６に対して独立した構成になっているが、ＤＳＰ５又は制御手段６にその機能を持たせて一体化した構成であってもよい。
斯かる構成によっては、構成部品のモジュール化の利便性が得られる場合がある。
【００３１】
Ｄ／Ａ変換器８は、バッファ７及びＤＳＰ５を介して入力される記録媒体１７からのデータであるデジタル信号をアナログ信号に変換するものである。
アンプ９は、Ｄ／Ａ変換器８の後段に接続され、Ｄ／Ａ変換器８からの音声データのアナログ信号を受けると、そのボリュームを所望の大きさに加工するものである。
スピーカ１０は、アンプ９の後段に接続され、所望の大きさに加工されたアナログ信号を入力し、音声に変換して出力するものである。
【００３２】
ここで、ＤＳＰ５、メモリ手段７、Ｄ／Ａ変換器８、アンプ９及びスピーカによって、データの記録された方向に対してその逆方向で再生を行う遡り再生も可能なデータを再生する手段が構成されている。
操作手段１１は、装置本体ケーシング（図示省略）の外側面（図示省略）に配設され、装置機能の操作を行うものである。
【００３３】
又、表示手段１２は、装置のその時点における機能状態を表示するものである。
記録媒体１７は、具体的に、半導体メモリであって、マイクロフォン２でピックアップされた音声を、デジタル信号にデータ化した音声データを記録するものである。
【００３４】
データ再生装置１は、上述したように構成されている。以下において、図２に示すフローチャートを参照しながら、データ再生装置１の機能を説明する。
まず最初に、使用者は、前記装置本体ケーシングの内部において、記録媒体１７を所定通りにデータ再生装置１の接続端であるコネクタ（図示省略）に接続して収納させる。
使用者は、続いて、操作手段１１を操作してメイン電源をＯＮにして、データ再生装置１の機能をスタートさせてデータの記録（ＲＥＣモード）を開始させる。
【００３５】
データ再生装置１において電力が供給された状態になると、マイクロフォン２は入力して来る音声をアナログの音声信号（音声データ信号）に変換してアンプ３に送り、アンプ３はマイクロフォン２からのアナログ信号のボリュームを所望の大きさに加工してＡ／Ｄ変換器４に送る。
Ａ／Ｄ変換器４は、アンプ３からの所望の大きさに加工されたアナログ信号を入力しデジタル信号に変換し、バス１３を介してＤＳＰ５に送る。
【００３６】
ＤＳＰ５は、制御手段６からのＲＥＣモードに対応した制御信号に受けてデータ記録手段として機能して、バス１３を介して入力されるデジタル信号をデータを記録媒体１７に記録するように機能する。
ここで、記録媒体１７は、ＤＳＰ５からのデジタル信号のデータは、１番目のクラスタＳＣ１、２番目のクラスタＳＣ２、３番目のクラスタＳＣ３、・・・、（ｎ−１）番目のクラスタＳＣｎ−１、ｎ番目のクラスタＳＣｎに連続して記録されることになる。又、この記録によって、1個のファイルが構成されることになる。
【００３７】
そして、これら１番目のクラスタＳＣ１からｎ番目のクラスタＳＣｎまでのデータ記録が行われた順序が記録媒体１７に記録されることになる。
ここで、記録媒体１７に記録される順序とは、データの記録に使用された連続するクラスタのうち、次のクラスタがどのクラスタであるか？、が順方向で知ることのできる順序である。
【００３８】
つまり、具体的には、順方向でデータの記録に使用された連続する、（ｍ−１）番目から（ｍ＋１）番目までの３個のクラスタＳＣｍ−１、ＳＣｍ、ＳＣｍ＋１がこのように並んでいる場合に、クラスタＳＣｍ−１が判ればその次のクラスタがＳＣｍであり、ＳＣｍが判ればその次のクラスタはＳＣｍ＋１であることが連続的に判るということである。
これとは逆に、順方向に対してその逆方向つまり遡り方向のクラスタＳＣｍ＋１からクラスタＳＣｍが判り、クラスタＳＣｍからＳＣｍ−１が判るということではない。
【００３９】
ここで、クラスタは、前述したと同様に、記録対象のデータのサイズが大きい場合には２個以上のクラスタを関連付けて結合して得られる結合のクラスタを含むものとする。
又、データの記録に使用されているクラスタは、記録媒体１７で物理的に隣接する等の理由によって連続する番号が付されているのではなく、記録媒体１７のクラスタがランダムな並びである特定のファイルの構成にデータ記録として使用されると、そのデータ記録の順序に従って付された番号を意味している。
【００４０】
使用者は、録音つまりデータの記録が所望終了の時点に来ると、操作手段１１を操作してデータの記録を停止する。
その後、この記録したデータを記録した方向とは逆の方向で再生したい、つまり、遡り再生を行いたいという場合には、操作手段１１を操作して、この記録したデータに係るファイルを指定して、遡り再生の操作を行う。
【００４１】
ここで、操作手段１１から制御手段６に、上述したデータに係るファイルを読出し、且つ、そのファイルをデータの記録方向とは逆の方向で再生するためのリクエスト信号が送られる。
制御手段６は、メモリ手段７に記録媒体１７の該当ファイルからデータ記録に係る連続するアドレスを読み込むように制御する。
【００４２】
メモリ手段７は、記録媒体１７からデータの記録に使用されるクラスタのアドレスを読み取って記憶する。
続いて、メモリ手段７はアドレスが既知であるクラスタＳＣ１を探し出す。ここで、上述したように、データの記録の際に連続して使用されたクラスタはデータ記録の順方向の順序は判るので、メモリ手段７はデータ記録で第１番目に使用されたクラスタＳＣ１から第ｎ番目に使用されたクラスタＳＣｎまでのアドレスの順序を上記記憶部に格納する。
【００４３】
ここで、メモリ手段７は、当該ファイルに係るデータを記録するために使用されたクラスタのデータ記録した順方向のアドレスの順序を得ることになる。
更に、メモリ手段７は、ここで得られた使用クラスタの順方向のアドレスの順序に基づいて、その逆方向の順序を得る。
【００４４】
ＤＳＰ５は、記録媒体１７から読出した該当ファイルについて、メモリ手段７で得た逆方向のアドレスの順序に従ってｎ番目のクラスタＳＣｎから１番目のＳＣ１の方向に遡って再生を行う。
この再生によって得られたデジタル信号（データ）は、バス１３を介してＤ／Ａ変換器８に送られる。
【００４５】
Ｄ／Ａ変換器８は、バス１３からのデジタル信号をアナログ信号に変換した後、アンプ９に送る。
アンプ９は、Ｄ／Ａ変換器８からのアナログ信号を所望のボリュームに増幅させ、スピーカ１０に送る。
スピーカ１０は、アンプ９からのアナログ信号を音声に変換し、その音声を出力する。
【００４６】
ここで、使用者はスピーカ１０から、記録媒体１７にデータ記録した該当ファイルのデータ（音声データ）を、データを記録した方向とは逆の方向で再生された音声を聞くことができる。
【００４７】
データ再生装置１は、上述したように、記録媒体１７に記録したデータを、データを記録した方向とは逆の方向で遡って再生する際には、まずクラスタＳＣｎを再生した後にクラスタＳＣｎ−１を見付け出して再生し、その次にクラスタＳＣｎ−２を見付け出して再生し、それ以降連続的にというのではなく、メモリ手段７がアドレスが既知であるクラスタＳＣ１をまず得て、続いて、データが記録された順序であるクラスタＳＣ１からクラスタＳＣｎまでの各クラスタのアドレスを順次追従してそのアドレスの順序を求めて格納し、遡り再生を行う際にはここで得た正の順序に対して逆方向の順序でクラスタを再生する構成としていることから、クラスタの見付け出しに大きな時間を必要とせずに簡便に見付け出すことが可能になっている。
【００４８】
又、データ再生装置１は、従来のデータ再生装置に比して上述して来た機能を有するメモリ手段７のみを付加した構成であって、任意のファイルをデータを記録した方向に再生する順方向の再生は、通常の再生を行うように、若しくは、メモリ手段７によってデータに対応する最初のクラスタのアドレスを簡単に見付け出し、その後それ以降のクラスタを再生すればよい。
【００４９】
更に、特開２００１−３３８４８４号公報に示されたデータ再生装置は、クラスタのアドレスを格納するために二つの格納部有する記録媒体の使用を必要としているが、データ再生装置１は、通常のクラスタのアドレスを格納する格納部を唯一つしか持たない構成の記録媒体であっても何ら問題は生じない。
つまり、データ再生装置１は、汎用性が確保されている。
【００５０】
データ再生装置１は、記録するデータは音声であるが、映像であってもよく、音声と映像の連結したものであってもよい。
データ再生装置１は、データを記録するための手段を備えて構成されているが、データを再生する機能のみであってもよい。
【００５１】
データ再生装置１は、記録媒体１７が半導体メモリであることによって、データ記録手段及びデータ再生手段がＤＳＰ５から構成されているが、記録媒体の種類によって適宜選択するのがよい。  
【図面の簡単な説明】
【００５２】
【図１】この発明の最良の実施の一形態において、記録媒体を接続している際の構成を説明するブロック図である。
【図２】図１に示す形態の要部機能を説明するフローチャートである。
【図３】従来例における図２相当図である。
【符号の説明】
【００５３】
１        ：データ再生装置
２        ：マイクロフォン
３，９    ：アンプ
４        ：Ａ／Ｄ変換器
５        ：デジタル信号プロセッサ（ＤＳＰ、データ記録手段で且つデータ再生手段）
６        ：制御手段
７        ：メモリ手段
８        ：Ｄ／Ａ変換器
１０      ：スピーカ
１１      ：操作手段
１２      ：表示手段
１７      ：記録媒体
【図１】
2006338699.tif 000003
【図２】
2006338699.tif 000004
【図３】
2006338699.tif 000005